(57)【要約】【課題】匂い立ちが良く、被洗浄物に塗布した後に洗濯を行うことにより、優れた洗浄性能が得られる液体洗浄剤組成物を提供する。【解決手段】（ａ）非石鹸界面活性剤、（ｂ）水溶性有香化合物から選ばれる１種以上の化合物、（ｃ）水を、特定比率で含有し、２０℃でのｐＨが７．５〜１２、イオン強度が０．５〜５ｍｏｌ・ｍ−３である液体洗浄剤組成物。【選択図】　なし【特許請求の範囲】
【請求項１】
（ａ）非石鹸界面活性剤０．０５〜１０質量％、（ｂ）水溶性有香化合物から選ばれる１種以上の化合物、（ｃ）水５０〜９５質量％を含有し、２０℃でのｐＨが７．５〜１２、イオン強度が０．５〜５ｍｏｌ・ｍ−３である液体洗浄剤組成物。
【請求項２】
更に、（ｄ）カルシウム安定度定数が４〜１５である分子量１０００以下のキレート剤１〜３０質量％を含有する請求項１記載の液体洗浄剤組成物。
【請求項３】
更に、（ｅ）０．０２５質量％濃度の水溶液もしくは分散液の最大ｐＨが１０．０以上（２０℃）であり、且つ該水溶液もしくは分散液１リットルをｐＨ９にするために０．１Ｎの塩酸水溶液を１０ｍｌ以上必要とする化合物１〜３０質量％を含有する請求項１又は２何れか記載の液体洗浄剤組成物。
【請求項４】
（ｂ）が、シス−３−ヘキセノール、リナロール、ゲラニオール、ネロール、シトロネロール、ヒドロキシシトロネロール、テトラヒドロリナロール、ラバンジュロール、α−テルピネオール、ｌ−メントール、ノポール、ネロリドール、ベンジルアルコール、β−フェニルエチルアルコール、γ−フェニルプロピルアルコール、β−フェニルエチルジメチルカルビノール、フェノキシエチルアルコール、フェニルグリコール、エチルアルコール、ｎ−ヘプチルアルデヒド、ｎ−オクチルアルデヒド、ｎ−デシルアルデヒド、シトロネラール、ベンズアルデヒド、フェニルアセトアルデヒド、フェニルプロピルアルデヒド、アニスアルデヒド、ヘリオトロピン、サリチルアルデヒド、バニリン、エチルバニリン、メチル−ｎ−アミルケトン、メントン、ショウノウ、アセトフェノン、α−ヨノン、β−ヨノン、マルトール、アニシルアセトン、クマリン、ジフェニルオキサイド、ジメチルハイドロキノン、ｐ−クレゾールメチルエーテル、アネトール、ジヒドロアネトール、チモール、カルバクロール、オイゲノール、安息香酸、桂皮酸、フェニル酢酸、ヒドロ桂皮酸、ギ酸ベンジル、酢酸エチル、酢酸イソアミル、酢酸ゲラニル、酢酸リナリル、酢酸メンチル、酢酸ボルニル、酢酸フェニルエチル、酢酸シンナミル、酢酸アニシル、酢酸パラクレジル、プロピオン酸エチル、プロピオン酸リナリル、酢酸エチル、イソ吉草酸ｎ−プロピル、イソ吉草酸イソアミル、ピルビン酸エチル、アセト酢酸エチル、レブリン酸エチル、安息香酸メチル、フタル酸ジメチル、サリチル酸メチル、サリチル酸エチル、アンスラニル酸メチル、アンスラニル酸エチル、ローズオキサイド、シネオール、６−メチルテトラヒドロキノリン、７−メチルキノリン、から選ばれる１種以上である請求項１〜３何れか記載の液体洗浄剤組成物。
【請求項５】
請求項１〜４何れか記載の液体洗浄剤組成物を塗布容器に充填した容器入り液体洗浄剤。
【発明の詳細な説明】
【０００１】
【発明の属する技術分野】
本発明は液体洗浄剤組成物に関する。更に詳しくは、被洗浄物の汚れの集中した部分に塗布し、その後の洗濯における洗浄力を増強させる液体洗浄剤組成物に関する。
【０００２】
【従来の技術】
襟袖や食べこぼし等の部分汚れのひどい場合は、通常の洗濯では、充分に汚れが取れなかったり、染みのまま残ったりする。一般的に、襟袖や染み汚れには、直接洗剤を塗布することにより、部分的に洗剤濃度を上げ、手による揉み洗いやブラシ等を用いた機械的な洗浄により対処していた。
【０００３】
一方、液体洗浄剤は、洗濯水に速やかに溶解する、汚れ部分に直接塗布して使用できる等の利点がある。特に、部分汚れに直接液体洗浄剤を塗布し、その後普通に洗濯することは“部分洗い”として日常的に行われている。そのため部分洗いを行う頻度の高い襟・袖口や、泥・靴下汚れに対する洗浄力に優れ、塗布時の液量調整のし易さ、塗布のし易さ、等の、塗布使用時の使用感に優れる液体洗浄剤組成物の開発が望まれている。特に、塗布使用時には手にとって使用することから、洗濯水への使用時以上に、匂に対する要求が高い。
【０００４】
従来、塗布用洗剤として、吐出口と塗り延ばし面を有する容器に充填された物品（例えば、特許文献１、４参照。）や、吐出口がブラシ状となっている物品（例えば、特許文献２、３、４参照。）が知られている。これらは、部分的に界面活性剤濃度を高め洗浄する技術であり、界面活性剤濃度が高いために香料等の匂立ちが十分とは言えなかった。また、組成物中のイオン強度も十分とは言えず、塗布用としては洗浄力も十分とは言えなかった。
【０００５】
【特許文献１】
特開平１１−２６９５００号公報
【０００６】
【特許文献２】
特開平１０−５２３２１号公報
【０００７】
【特許文献３】
特開平１０−５２３９２号公報
【０００８】
【特許文献４】
特開２００１−１８１６９２号公報
【０００９】
【発明が解決しようとする課題】
本発明の課題は、強い匂い立ちの芳香を有し、被洗浄物に塗布した後に洗濯を行うことにより、優れた洗浄性能が得られる液体洗浄剤組成物を提供することにある。
【００１０】
【課題を解決するための手段】
本発明は、（ａ）非石鹸界面活性剤〔以下、（ａ）成分という〕０．０５〜１０質量％、（ｂ）水溶性有香化合物から選ばれる１種以上の化合物〔以下、（ｂ）成分という〕、（ｃ）水〔以下、（ｃ）成分という〕５０〜９５質量％を含有し、２０℃でのｐＨが７．５〜１２、イオン強度が０．５〜５ｍｏｌ・ｍ−３である液体洗浄剤組成物に関する。
【００１１】
また、本発明は、上記本発明の液体洗浄剤組成物を塗布容器に充填した容器入り液体洗浄剤に関する。
【００１２】
【発明の実施の形態】
〔液体洗浄剤組成物〕
本発明の液体洗浄剤組成物は、ＪＩＳ　Ｋ　３３６２：１９９８記載の方法による２０℃のｐＨが７．５〜１２である。洗浄力、安全性の点で該ｐＨは８〜１１が好ましく、８．５〜１１がより好ましく、９〜１１が更に好ましく、１０〜１１が特に好ましい。
【００１３】
本発明の液体洗浄剤組成物のイオン強度は０．５〜５ｍｏｌ・ｍ−３であり、安定性、匂立ち、洗浄性能の点で１．５〜２．５ｍｏｌ・ｍ−３が好ましく、１．７〜２．５ｍｏｌ・ｍ−３がより好ましい。このイオン強度は、溶液中の全ての解離イオン種に対して１／２・ｃｚ２（ｃは各イオン種の溶液中のモル濃度、ｚはイオンの価数である）を計算し、これらの総和によって求められる。但し、分子量２０００以上のキレート剤を含む場合は、当該組成物において該キレート剤の存在下・非存在下での電気伝導度を測定し、次に電気伝導度を測定しながら該キレート剤非存在下の各サンプルに酢酸ナトリウムを少量ずつ加え、該キレート剤存在下の電気伝導度とほぼ同等となった時の酢酸ナトリウムの添加量を記録する。添加した酢酸ナトリウムの量のイオン強度を計算により求め、これを当該サンプル中での該キレート剤のイオン強度とする。
【００１４】
本発明の液体洗浄剤組成物は、安定性、洗浄性能の点で、ナトリウムイオンＮａ＋とカリウムイオンＫ＋とのモル比Ｎａ＋／Ｋ＋は７／３〜１／９が好ましく、６．５／３．５〜２．５／７．５がより好ましく、５／５〜３／７が更に好ましい。
【００１５】
本発明の液体洗浄剤組成物は、塗布時の容器からの排出の容易さの点で２０℃の粘度が１〜５０ｍＰａ・ｓ（Ｂ型粘度計、６０ｒ／ｍｉｎ）が好ましく、特に噴霧又は泡状に排出する場合は１〜３０ｍＰａ・ｓがより好ましく、１〜２０ｍＰａ・ｓが更に好ましく、２〜１５ｍＰａ・ｓが特に好ましい。
【００１６】
本発明の液体洗浄剤組成物は、特に繊維製品用液体洗浄剤として有用であり、部分洗いのために塗布して用いる洗濯前処理用液体洗浄剤として更に好適である。
【００１７】
＜（ａ）成分＞
本発明の液体洗浄剤組成物は、（ａ）成分の非石鹸界面活性剤を０．０５〜１０質量％含有する。洗浄性能、匂立ち、成泡性の点で、０．１〜９質量％が好ましく、０．５〜８質量％が更に好ましく、１〜７質量％が特に好ましい。
【００１８】
非石鹸界面活性剤としては、非イオン界面活性剤、非石鹸陰イオン界面活性剤、陽イオン界面活性剤、両性界面活性剤等が挙げられる。
【００１９】
非イオン界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド等が好ましい。特に、アルキルポリグリコシドが好ましい。
【００２０】
非石鹸陰イオン界面活性剤としては、アルコールの硫酸エステル塩、アルコールのエトキシレート化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩が挙げられる。特に、アルキル鎖の炭素数が１２〜１４の直鎖アルキルベンゼンスルホン酸塩、アルキル鎖の炭素数が１２〜１８のアルキル硫酸エステル塩が好ましく、対イオンとしては、アルカリ金属類、アルカノールアミン塩が好ましい。
【００２１】
陽イオン界面活性剤としては、４級型のモノ長鎖アルキル又はジ長鎖アルキルアンモニウム塩等が挙げられる。
【００２２】
両性界面活性剤としては、アルキルベタイン、イミダゾリニウムベタイン、アミンオキサイド、アルキルアラニン等が挙げられる。
【００２３】
中でも匂立ち、洗浄性能の点で両性界面活性剤を含有することが好ましく、界面活性剤中の５０質量％以上含有することがより好ましく、６０質量％以上含有することが更に好ましく、７０質量％以上含有することが特に好ましい。
【００２４】
両性界面活性剤としては、匂立ち、洗浄性能の点で下記一般式（Ｉ）で表される化合物及び一般式（ＩＩ）で表される化合物から選ばれる両性界面活性剤が好ましく、これらの合計が界面活性剤中の５０質量％以上、更に６０質量％以上、特に７０質量％以上であることが好ましく、なかでも一般式（Ｉ）で表される化合物が界面活性剤中の５０質量％以上、更に６０質量％以上、特に７０質量％以上であることが好ましい。
【００２５】
【化１】
2004075798.tif 000002
【００２６】
〔式中、Ｒ１は炭素数７〜２０、好ましくは９〜１５のアルキル基又はアルケニル基、Ｒ２、Ｒ３はそれぞれ炭素数１〜３のアルキル基もしくは炭素数２〜３のアルケニル基、好ましくは炭素数１のアルキル基又は水素原子である。Ｒ４は水素原子又は炭素数１〜５のアルキル基もしくは炭素数２〜５のアルケニル基、好ましくは水素原子又はメチル基、ｍは１〜５、好ましくは３の数を示す。〕
【００２７】
【化２】
2004075798.tif 000003
【００２８】
〔式中、Ｒ５は炭素数８〜２０、好ましくは１２〜１４のアルキル基又はアルケニル基、Ｒ６、Ｒ７はそれぞれ炭素数１〜３のアルキル基もしくは炭素数２〜３のアルケニル基、好ましくは炭素数１のアルキル基又は水素原子、ｐは及び〜１０、好ましくは２〜４の数を示す。〕。
【００２９】
＜（ｂ）成分＞
本発明の液体洗浄剤組成物は、（ｂ）成分として水溶性有香化合物から選ばれる１種以上の化合物を含有する。ここで、「有香化合物」とは、例えば「香料の化学」（昭和５８年９月１６日発行、著者：赤星亮一、発行者：佐久間祐三、発行所：大日本図書株式会社）記載の香料用化合物をいう。匂立ちの点で、組成物中の（ｂ）成分の比率は０．００１〜１０質量％が好ましく、０．０１〜５質量％がより好ましく、０．１〜３質量％が更に好ましい。
【００３０】
水溶性有香化合物として、シス−３−ヘキセノール、リナロール、ゲラニオール、ネロール、シトロネロール、ヒドロキシシトロネロール、テトラヒドロリナロール、ラバンジュロール、α−テルピネオール、ｌ−メントール、ノポール、ネロリドール、ベンジルアルコール、β−フェニルエチルアルコール、γ−フェニルプロピルアルコール、β−フェニルエチルジメチルカルビノール、フェノキシエチルアルコール、フェニルグリコール、エチルアルコール、ｎ−ヘプチルアルデヒド、ｎ−オクチルアルデヒド、ｎ−デシルアルデヒド、シトロネラール、ベンズアルデヒド、フェニルアセトアルデヒド、フェニルプロピルアルデヒド、アニスアルデヒド、ヘリオトロピン、サリチルアルデヒド、バニリン、エチルバニリン、メチル−ｎ−アミルケトン、メントン、ショウノウ、アセトフェノン、α−ヨノン、β−ヨノン、マルトール、アニシルアセトン、クマリン、ジフェニルオキサイド、ジメチルハイドロキノン、ｐ−クレゾールメチルエーテル、アネトール、ジヒドロアネトール、チモール、カルバクロール、オイゲノール、安息香酸、桂皮酸、フェニル酢酸、ヒドロ桂皮酸、ギ酸ベンジル、酢酸エチル、酢酸イソアミル、酢酸ゲラニル、酢酸リナリル、酢酸メンチル、酢酸ボルニル、酢酸フェニルエチル、酢酸シンナミル、酢酸アニシル、酢酸パラクレジル、プロピオン酸エチル、プロピオン酸リナリル、酢酸エチル、イソ吉草酸ｎ−プロピル、イソ吉草酸イソアミル、ピルビン酸エチル、アセト酢酸エチル、レブリン酸エチル、安息香酸メチル、フタル酸ジメチル、サリチル酸メチル、サリチル酸エチル、アンスラニル酸メチル、アンスラニル酸エチル、ローズオキサイド、シネオール、６−メチルテトラヒドロキノリン、７−メチルキノリン、等が挙げられる。中でも、２５℃の水への溶解度が０．００１質量％以上のものが好ましく、０．０１質量％以上がより好ましく、０．１質量％以上が更に好ましく、１質量％以上が特に好ましい。
【００３１】
＜（ｃ）水＞
本発明の液体洗浄剤組成物は、（ｃ）成分として水を含有する。洗浄性能、塗布性の点で５０〜９５質量％が好ましく、５５〜９０質量％がより好ましく、６０〜８５質量％が更に好ましく、６５〜８０質量％が特に好ましい。
＜（ｄ）成分＞
本発明の液体洗浄剤組成物は、カルシウム安定度定数が４〜１５である分子量１０００以下のキレート剤〔以下、（ｄ）成分という〕を含有することが好ましい。洗浄性能の点で、カルシウム安定度定数は５〜１４が好ましく、６〜１３がより好ましく、６〜１０が更に好ましく、６〜８が特に好ましい。洗浄性能の点で、分子量は８００以下が好ましく、６００以下がより好ましい。分子量の下限は２００以上が好ましい。洗浄性能、成泡性の点で、本発明の組成物は（ｄ）成分を１〜３０質量％含有することが好ましく、２〜２５質量％がより好ましく、３〜２０質量％が更に好ましく、３．５〜１５質量％が特に好ましく、４〜１２質量％が特に好ましい。
【００３２】
尚、本発明において、カルシウム安定度定数は次の方法で求められるものをいう。
【００３３】
（カルシウム安定度定数の測定方法）
緩衝液として０．１ｍｏｌ／リットルのＮＨ４Ｃｌ−ＮＨ４ＯＨ（ｐＨ１０）溶液を調製する。この緩衝液を用いて全ての試料溶液を調製する。Ｃａ２＋濃度の測定にはオリオン（株）製のイオンメーター９２０ＡとＣａ２＋イオン電極を用いる。先ず、塩化カルシウム濃度と電極の電位の関係を求め、検量線を作成する。塩化カルシウムの５．３６×１０−２ｍｏｌ／リットル溶液、キレート剤試料の５．３６×１０−４ｍｏｌ／リットル溶液を調製する。キレート剤試料溶液１００ｍｌに塩化カルシウム溶液を１ｍｌ加え、５分間撹拌する。残存しているＣａ２＋濃度をＣａ２＋イオン電極を用いて測定する。キレート剤はＣａ２＋と１：１でキレート錯体を形成すると仮定して下記の式からカルシウム安定度定数（Ｃａ安定度定数）を求める。
【００３４】
【数１】
2004075798.tif 000004
【００３５】
（ｄ）成分としては、アミノカルボン酸（塩）、ヒドロキシアミノカルボン酸（塩）、ヒドロキシカルボン酸（塩）、シクロカルボン酸（塩）、エーテルカルボン酸（塩）等の有機カルボン酸（塩）、トリポリリン酸塩、ピロリン酸塩等の無機リン酸塩が挙げられる。中でも液物性の点で、有機カルボン酸（塩）が好ましい。これらの有機カルボン酸（塩）は酸の形で配合した後、水酸化カリウム、水酸化ナトリウム、水酸化アンモニウム、炭酸カリウム、炭酸ナトリウム、モノエタノールアミン、ジエタノールアミン等により中和して少なくとも一部を塩としても良い。また、予めカルボキシル基の少なくとも一部を塩とした後に配合しても良い。洗浄性能の点で、特に少なくとも一部のカルボキシル基がカリウム塩又はアンモニウム塩であることが好ましい。また、洗浄性能の点で、分子内に少なくとも１個の窒素原子及び２〜５個のＣＯＯＭ基（Ｍは水素原子、Ｎａ、Ｋ、ＮＨ４）を有する化合物が好ましく、アミノカルボン酸（塩）、ヒドロキシアミノカルボン酸（塩）がより好ましく、アミノカルボン酸（塩）が更に好ましい。
【００３６】
アミノカルボン酸（塩）として、ニトリロ三酢酸（塩）、エチレンジアミンテトラ酢酸（塩）、β−アラニンジ酢酸（塩）、アスパラギン酸ジ酢酸（塩）、メチルグリシンジ酢酸（塩）、イミノジコハク酸（塩）等が挙げられる。中でもメチルグリシンジ酢酸（塩）が好ましい。
【００３７】
ヒドロキシアミノカルボン酸（塩）として、セリンジ酢酸（塩）、ヒドロキシイミノジコハク酸（塩）、ヒドロキシエチルエチレンジアミントリ酢酸（塩）、ジヒドロキシエチルグリシン（塩）等が挙げられる。
【００３８】
＜（ｅ）成分＞
本発明の液体洗浄剤組成物は、０．０２５質量％濃度の水溶液もしくは分散液の最大ｐＨが１０．０以上（２０℃）であり、且つ該水溶液もしくは分散液１リットルをｐＨ９にするために０．１Ｎの塩酸水溶液を１０ｍｌ以上必要とする化合物〔以下、（ｅ）成分という〕を含有することが好ましく、その比率は組成物中１〜３０質量％が好ましい。洗浄性能、塗布性の点で３〜２５質量％が好ましく、５〜２０質量％がより好ましく、５〜１５質量％が更に好ましい。
【００３９】
（ｅ）成分としては、炭酸ナトリウム、炭酸カリウム、珪酸ナトリウム、リン酸三ナトリウム、モノエタノールアミン等が挙げられる。中でも炭酸ナトリウム、炭酸カリウム、珪酸ナトリウムがより好ましく、特に炭酸ナトリウムが好ましい。
【００４０】
＜その他の成分＞
本発明の液体洗浄剤組成物には、（１）重量平均分子量５０００以上のポリエチレングリコール、ナフタレンスルホン酸塩ホルマリン縮合物等の再汚染防止剤及び分散剤０．０１〜１０質量％、（２）ポリビニルピロリドン等の色移り防止剤０．０１〜１０質量％、（３）シリコーン、シリカ、脂肪酸（塩）等の調泡剤０．０１〜２質量％、（４）ブチルヒドロキシトルエン、ジスチレン化クレゾール、亜硫酸ナトリウム及び亜硫酸水素ナトリウム等の酸化防止剤０．０１〜２質量％、（５）着色剤、（６）アミラーゼ、プロテアーゼ、リパーゼ、セルラーゼ等の酵素、（７）塩化カルシウム、硫酸カルシウム、ギ酸、ホウ酸（ホウ素化合物）等の酵素安定化剤、（８）（ｂ）成分以外の香料、（９）抗菌防腐剤、（１０）（ｂ）成分以外のハイドロトロープ剤、（１１）ポリアクリル酸（塩）、ポリマレイン酸（塩）、カルボキシメチルセルロース、アクリル酸−マレイン酸共重合体若しくはその塩、無水マレイン酸−ジイソブチレン共重合体若しくはその塩、無水マレイン酸−メチルビニルエーテル共重合体若しくはその塩、無水マレイン酸−イソブチレン共重合体若しくはその塩、無水マレイン酸−酢酸ビニル共重合体若しくはその塩、及び特開昭５９−６２６１４号公報の請求項１〜２１（１頁３欄５行〜３頁４欄１４行）記載のポリマー等といった有機多価カルボン酸及び／又はその塩等を配合することができる。
【００４１】
〔液体洗浄剤組成物の使用方法〕
本発明の液体洗浄剤組成物は、被洗浄物に容器排出部の孔より直接塗布したり、スポンジやブラシやロールを介して塗布したり、計量容器で計量して塗布しても良いが、利便性の点で噴霧又は泡状に塗布することがより好ましく、非吸引性、匂立ちの点で泡状に塗布することが更に好ましい。
【００４２】
本発明の液体洗浄剤組成物の使用例として、襟汚れ、袖汚れ、しみ等の被洗浄物の汚れが集中した部分（特に人由来の汚れである襟汚れ、袖汚れ）に、内容物を塗布して用いることが挙げられる。塗布した後一定時間後に洗濯することにより効果的な洗浄が行える。洗浄性能の点で、１０秒以上経過後に洗濯するのが好ましく、３０秒以上がより好ましく、１分以上が更に好ましく、５分以上が特に好ましい。効果及び簡便性の点で、５時間以下が好ましく、２時間以下がより好ましく、１時間以下が更に好ましく、３０分以下が特に好ましい。
【００４３】
〔容器入り液体洗浄剤〕
本発明の容器入り液体洗浄剤は、上記本発明の液体洗浄剤組成物を塗布容器に充填してなる。この塗布容器は、排出された組成物を対象物に塗布するのに適した手段を備えた容器である。好ましくは、泡状に塗布できる手段を備えた容器（泡吐出容器）である。そのような、泡吐出容器としては、トリガー式泡吐出容器、ポンプ機構を備えたキャップの頭部を手指で押圧することにより使用されるポンプ式泡吐出容器、軟質容器の胴部を手指で押圧することにより使用するスクイズフォーマー、エアゾール等が挙げられるが、使用性、経済性、環境適合性等よりトリガー式スプレー容器、スクイズフォーマーがより好ましく、トリガー式スプレー容器が特に好ましい。トリガー式スプレー容器の場合、使用性の点で２０℃における１回の吐出量は０．３〜２ｇが好ましく、０．５〜１．５ｇがより好ましい。
【００４４】
好ましい泡の物性として、洗浄性能、匂立ち、使用感の点で、２０℃において嵩密度５０〜３００ｇ／Ｌの泡が好ましく、６０〜２５０ｇ／Ｌがより好ましく、７０〜２００ｇ／Ｌが更に好ましく、１００〜２００ｇ／Ｌが特に好ましい。また、洗浄性能、匂立ち、使用感の点で、２０℃において容器より吐出した１００ｍＬの泡を静置し、泡の７０質量％相当の液層が現れるまでの時間が３０秒〜１０分が好ましく、１〜１０分がより好ましく、２〜９分が更に好ましく、３〜８分が特に好ましい。更に、洗浄性能、使用感の点で、２０℃において容器より吐出した泡の粘度（Ｂ型粘度計、６０ｒ／ｍｉｎ、ローターＮｏ．１、１分後）は１００〜７００ｍＰａ・ｓが好ましく、２００〜６００ｍＰａ・ｓがより好ましく、２００〜５００ｍＰａ・ｓが更に好ましく、３００〜５００ｍＰａ・ｓが特に好ましい。
【００４５】
尚、泡の嵩密度は２０℃において、１００ｍＬのメスシリンダー（内径２７ｍｍ、旭テクノグラス（株）製）を用い、１００ｍＬの質量を求めた。また、これを静置し、泡の７０質量％相当の液層が現れるまでの時間を求めた。
【００４６】
液体洗浄剤組成物を泡吐出容器に充填することを目的として、液体洗浄剤組成物をスタンディングパウチ、詰め替えボトル等に充填しても良い。
【００４７】
【実施例】
実施例１〜７、比較例１〜３
表１に示す液体洗浄剤組成物を調製した。得られた実施例の組成物の粘度は何れも２〜１５ｍＰａ・ｓ（Ｂ型粘度計、２０℃、６０ｒ／ｍｉｎ）であった。
【００４８】
調製した組成物を市販のトリガー式泡吐出容器（ファミリーシンクまわりクリーナー２５０ｍＬ、花王（株）製）に充填し、容器入り洗濯前処理剤を得た。得られた実施例の容器入り洗濯前処理剤から吐出される泡は、何れも嵩密度１００〜２００ｇ／Ｌ、静置した１００ｍＬの泡から泡の７０質量％相当の液層が現れるまでの時間は３〜８分であった。
【００４９】
これらについて以下に示す方法により、洗浄力の評価を行った。その結果を表１に示す。
【００５０】
＜洗浄力の評価＞
（襟あか布の調製）
ＪＩＳ　Ｋ３３６２：１９９８記載の襟あか布を調製する。
【００５１】
（洗浄条件及び評価方法）
２槽式洗濯機（東芝銀河３．６）の洗濯槽にＪＩＳ　Ｋ３３６２：１９９８記載の使用水４０Ｌを入れ、これに１．４ｋｇの綿製の未着用肌着及び０．６ｋｇの綿／ポリエステル混紡の未着用ワイシャツを入れる。更に、ＪＩＳ　Ｋ３３６２：１９９８記載の洗浄力判定用指標洗剤（蛍光増白剤無添加）５３ｇ（無水物換算）投入する。更に上記襟あか布１枚に付き、容器入り液体洗浄剤より液体洗浄剤組成物４ｇを泡状に塗布した後、５分間静置した襟あか布６枚（３段階の汚れを各２枚）を洗濯槽に入れ、１０分間普通洗浄する。その後１分間脱水し、８分間１５Ｌ／ｍｉｎの水量で流水すすぎする。その後５分間脱水し、室内で自然乾燥させる。
【００５２】
液体洗浄剤組成物を塗布しないで同様の操作を行ったものをブランクとして、目視により一対比較し、以下の判定基準により評価する。
【００５３】
評価基準
◎：３段階の汚れ全てにおいて、ブランクより明らかに汚れが落ちている。
○：３段階の汚れ全てにおいて、ブランクよりやや汚れが落ちている。
×：３段階の汚れ全てにおいて、ブランクとほとんど差がない、又は汚れ落ちに劣る。
【００５４】
＜匂立ち評価＞
熟練したパネラーにより、組成物の匂い立ちを判定し、以下の基準で評価した。
【００５５】
評価基準
◎：匂い立ちに非常に優れる。
○：匂い立ちに優れる。
×：匂い立ちが悪い。
【００５６】
【表１】
2004075798.tif 000005
【００５７】
・両性界面活性剤１：ラウラミドプロピルアミンオキシド（ソフタゾリンＬＡＯ−Ｃ、川研ファインケミカル（株）、純分換算量）
・両性界面活性剤２：ジメチルラウリルアミンオキサイド（アンヒトール２０Ｎ、花王（株）、純分換算）
・両性界面活性剤３：ラウリル（２−ヒドロキシ−３−スルホプロピル）ジメチルベタイン（アンヒトール２０ＨＤ、花王（株）、純分換算）
・非イオン界面活性剤１：デシルグルコシド（マイドール１０、花王（株）、純分換算）
・非イオン界面活性剤２：炭素数１０〜１４の直鎖第１級アルコールにエチレンオキサイドを平均８モル、プロピレンオキサイドを平均２モルランダム付加させたもの
・陰イオン界面活性剤１：炭素数１２〜１８のアルキル硫酸エステルナトリウム
・陰イオン界面活性剤２：炭素数１０〜１４の直鎖アルキル基を有するアルキルベンゼンスルホン酸ナトリウム
・キレート剤ｄ１：メチルグリシン二酢酸三ナトリウム（トリロンＭリキッド、ＢＡＳＦジャパン（株）、純分換算）（Ｃａ安定度定数６．１）
・キレート剤ｄ２：アスパラギン酸−Ｎ，Ｎ−二酢酸四ナトリウム（Ｃａ安定度定数６．７）
・キレート剤ｄ３：セリン二酢酸三ナトリウム（Ｃａ安定度定数６．５）
・キレート剤ｄ４：グルタミン酸二酢酸四ナトリウム（Ｃａ安定度定数５．８）
・キレート剤ｄ５：エチルグリシン二酢酸三ナトリウム（Ｃａ安定度定数５．７）
・ポリアクリル酸Ｎａ：ポリアクリル酸ナトリウム（重量平均分子量５０００）（Ｃａ捕捉量２０５ＣａＣＯ３ｍｇ／ｇ、Ｃａ安定度定数３．４）
・ポリエチレングリコール：重量平均分子量２０００
・酵素：エバラーゼ１６．０Ｌ−ＥＸ（プロテアーゼ、ノボザイムズ社製）
・色素：カヤシオンターキスＫＮＡ（組成物中に１０ｐｐｍ（質量比）添加）